(57)【要約】【課題】地震情報を有効に利用する。【解決手段】画像形成システムＳＴは、複数の画像形成装置１００と、複数の画像形成装置１００と通信可能に接続されたサーバー装置２００とを備える。複数の画像形成装置１００の各々は、画像形成部１４、筐体１０、センサーＳ、及び報知部５０４を備える。画像形成部１４は、用紙Ｐに画像を形成する。センサーＳは、筐体１０の振動を検出し、検出信号ＳＧを出力する。報知部５０４は、サーバー装置２００から地震情報ＥＱを取得し、地震情報ＥＱを報知する。サーバー装置２００は、生成部６０３を備える。生成部６０３は、複数の画像形成装置１００の各々のセンサーＳから検出信号ＳＧを取得し、検出信号ＳＧに基づいて地震情報ＥＱを生成する。地震情報ＥＱは、複数の画像形成装置１００の各々が配置された位置での地震に関する情報を示す。【選択図】図３
2018196935.tif 000002
【特許請求の範囲】
【請求項１】
複数の画像形成装置と、前記複数の画像形成装置と通信可能に接続されたサーバー装置とを備え、
前記複数の画像形成装置の各々は、
記録媒体に画像を形成する画像形成部と、
筐体と、
前記筐体の振動を検出し、検出信号を出力するセンサーと、
前記サーバー装置から地震情報を取得し、前記地震情報を報知する報知部と
を備え、
前記サーバー装置は、前記複数の画像形成装置の各々の前記センサーから前記検出信号を取得し、前記検出信号に基づいて、前記地震情報を生成する生成部を備え、
前記地震情報は、前記複数の画像形成装置の各々が配置された位置での地震に関する情報を示す、画像形成システム。
【請求項２】
前記地震情報は、震度情報及び地震発生日時情報の少なくとも一方を含む、請求項１に記載の画像形成システム。
【請求項３】
前記サーバー装置は、前記複数の画像形成装置の各々の前記センサーが地震を検出しているか否かを判定する判定部を更に備え、
前記複数の画像形成装置が、前記センサーが地震を検出していると前記判定部が判定した第１画像形成装置と、前記センサーが地震を検出していないと前記判定部が判定した第２画像形成装置とを含む場合に、
前記生成部は、前記第１画像形成装置の前記センサーの前記検出信号に基づいて、前記第２画像形成装置に対する推定地震情報を生成し、
前記推定地震情報は、前記第２画像形成装置が配置された位置で発生すると推定される地震に関する情報を示す、請求項１又は請求項２に記載の画像形成システム。
【請求項４】
前記推定地震情報は、推定震度情報を含み、
前記生成部は、前記第１画像形成装置が配置された位置での地震の震度と、前記第１画像形成装置と前記第２画像形成装置との距離とに基づいて、前記第２画像形成装置が配置された位置で発生すると推定される地震に対する前記推定震度情報を生成する、請求項３に記載の画像形成システム。
【請求項５】
前記推定地震情報は、発生日時情報を含み、
前記生成部は、前記第１画像形成装置が配置された位置での地震の発生日時と、前記第１画像形成装置と前記第２画像形成装置との距離とに基づいて、前記第２画像形成装置が配置された位置で発生すると推定される地震に対する前記発生日時情報を生成する、請求項３又は請求項４に記載の画像形成システム。
【請求項６】
前記センサーは、加速度センサーを含む、請求項１から請求項５のいずれか１項に記載の画像形成システム。
【請求項７】
サーバー装置と通信可能に接続された画像形成装置であって、
記録媒体に画像を形成する画像形成部と、
筐体と、
前記筐体の振動を検出するセンサーと、
前記サーバー装置から地震情報を取得し、前記地震情報を報知する報知部と
を備え、
前記地震情報は、前記画像形成装置が配置された位置での地震に関する情報を示す、画像形成装置。
【発明の詳細な説明】
【技術分野】
【０００１】
本発明は、画像形成システム、及び画像形成装置に関する。
【背景技術】
【０００２】
特許文献１に記載の画像形成装置は、地震発生情報検知部、異常時判断処理部、印刷処理部、転送処理部、及び操作パネルを備える。地震発生情報検知部は、サーバー装置から緊急地震速報を受信する。緊急地震速報を地震発生情報検知部が受信した場合に、異常時判断処理部は、印刷処理部に対して画像の形成の停止を指示する。また、異常時判断処理部は、転送処理部に対して保存済みのデータの転送を指示する。
【先行技術文献】
【特許文献】
【０００３】
【特許文献１】特開２００９−１７１１９９号公報
【発明の概要】
【発明が解決しようとする課題】
【０００４】
特許文献１に記載の画像形成装置では、画像を形成する旨のジョブを受け付けていた場合であっても、緊急地震速報を受信した場合に画像形成の動作を停止するため、画像が形成されることはない。したがって、画像が形成された書面が放置されることを抑制できるため、書面に記載された内容の漏洩を抑制できる。また、上記画像形成装置は、上記画像形成装置が配置された場所から離間した位置に配置されている画像形成装置へ保存済みのデータを転送する。したがって、上記画像形成装置が地震によって破損した場合であっても、上記画像形成装置に保存されたデータの消失を抑制できる。
【０００５】
しかしながら、地震情報の利用については、未だ改善の余地が残されている。
【０００６】
本発明は、上記課題に鑑みてなされたものであり、地震情報を有効に利用可能な画像形成システム、及び画像形成装置を提供することを目的としている。
【課題を解決するための手段】
【０００７】
本発明に係る画像形成システムは、複数の画像形成装置と、前記複数の画像形成装置と通信可能に接続されたサーバー装置とを備える。前記複数の画像形成装置の各々は、画像形成部、筐体、センサー、及び報知部を備える。前記画像形成部は、記録媒体に画像を形成する。前記センサーは、前記筐体の振動を検出し、検出信号を出力する。前記報知部は、前記サーバー装置から地震情報を取得し、前記地震情報を報知する。前記サーバー装置は、生成部を備える。前記生成部は、前記複数の画像形成装置の各々の前記センサーから前記検出信号を取得し、前記検出信号に基づいて前記地震情報を生成する。前記地震情報は、前記複数の画像形成装置の各々が配置された位置での地震に関する情報を示す。
【０００８】
本発明に係る画像形成装置は、サーバー装置と通信可能に接続された画像形成装置である。前記画像形成装置は、画像形成部、筐体、センサー、及び報知部を備える。前記画像形成部は、記録媒体に画像を形成する。前記センサーは、前記筐体の振動を検出する。前記報知部は、前記サーバー装置から地震情報を取得し、前記地震情報を報知する。前記地震情報は、前記画像形成装置が配置された位置での地震に関する情報を示す。
【発明の効果】
【０００９】
本発明の画像形成システム、及び画像形成装置によれば、地震情報を有効に利用できる。
【図面の簡単な説明】
【００１０】
【図１】本発明の実施形態に係る画像形成システムの構成を示す図である。
【図２】本発明の実施形態に係る画像形成装置の構成を示す図である。
【図３】本発明の実施形態に係る第１制御部及び第２制御部の構成を示す図である。
【図４】（ａ）タッチパネルに表示する地震発生画面の一例を示す画面図である。（ｂ）タッチパネルに表示する地震推定画面の一例を示す画面図である。
【図５】（ａ）画像形成装置間の距離と震度との関係を示す図である。（ｂ）画像形成装置間の距離と地震発生日時との関係を示す図である。
【図６】第１制御部の処理の一例を示すフローチャートである。
【図７】第２制御部の処理の一例を示すフローチャートである。
【図８】第２制御部の地震推定処理の一例を示すフローチャートである。
【発明を実施するための形態】
【００１１】
以下、本発明の実施形態について、図面（図１〜図８）を参照しながら説明する。なお、図中、同一又は相当部分については同一の参照符号を付して説明を繰り返さない。
【００１２】
まず、図１を参照して、本発明の実施形態に係る画像形成システムＳＴの構成について説明する。画像形成システムＳＴは、複数の画像形成装置１００と、サーバー装置２００とを備える。図１に示すように、複数の画像形成装置１００は、ネットワーク３００を介して、サーバー装置２００と通信可能に接続される。
【００１３】
複数の画像形成装置１００の各々は、いわゆる、複合機であって、通信機能を有する。複数の画像形成装置１００の各々は、ネットワーク３００を介して、サーバー装置２００との間で種々の情報の送受信を行う。複数の画像形成装置１００は、画像形成装置１０１、画像形成装置１０２及び画像形成装置１０３を備える。複数の画像形成装置１００は、互いに略同一の構成を有するため、以下の説明において画像形成装置１００と総称する場合がある。
【００１４】
サーバー装置２００は、通信機能を有し、第２制御部６を備える。第２制御部６は、プロセッサー６１及び記憶部６２を備える。プロセッサー６１は、例えばＣＰＵ（Ｃｅｎｔｒａｌ  Ｐｒｏｃｅｓｓｉｎｇ  Ｕｎｉｔ）を備える。記憶部６２は、半導体メモリーのようなメモリーを備え、ＨＤＤ（Ｈａｒｄ  Ｄｉｓｋ  Ｄｒｉｖｅ）を備えてもよい。記憶部６２は、第２制御プログラムを記憶している。
【００１５】
ネットワーク３００は、例えば、インターネットである。ネットワーク３００は、インターネットに限定されない。ネットワーク３００が、ＬＡＮ（Ｌｏｃａｌ  Ａｒｅａ  Ｎｅｔｗｏｒｋ）でもよいし、ネットワーク３００が、ＷＡＮ（Ｗｉｄｅ  Ａｒｅａ  Ｎｅｔｗｏｒｋ）でもよい。
【００１６】
次に、図１及び図２を参照して、本実施形態に係る画像形成装置１００の構成について説明する。図２は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１７】
図２に示すように、画像形成装置１００は、画像形成ユニット１、画像読取ユニット２、原稿搬送ユニット３、操作パネル４、第１制御部５及びセンサーＳを備える。画像形成装置１００は、床面ＦＬ上に載置される。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーからの操作を受け付ける。第１制御部５は、画像形成装置１００の動作を制御する。
【００１８】
画像形成ユニット１は、筐体１０、給送部１２、搬送部Ｌ、トナー供給部１３、画像形成部１４、定着部１６及び排出部１７を備える。画像形成部１４は、転写部１５を含む。
【００１９】
筐体１０は、給送部１２、搬送部Ｌ、トナー供給部１３、画像形成部１４、定着部１６、排出部１７及びセンサーＳを収容する。また、筐体１０は、フレーム１１を備える。フレーム１１は、筐体１０の下部に配置される。
【００２０】
給送部１２は、用紙Ｐを搬送部Ｌへ供給する。搬送部Ｌは、用紙Ｐを転写部１５及び定着部１６を経由して排出部１７まで搬送する。
【００２１】
トナー供給部１３は、画像形成部１４にトナーを供給する。画像形成部１４は、用紙Ｐに画像を形成する。
【００２２】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２３】
定着部１６は、用紙Ｐを加熱及び加圧し、用紙Ｐに形成された画像を用紙Ｐに定着する。排出部１７は、用紙Ｐを画像形成装置１００の外部へ排出する。
【００２４】
操作パネル４は、タッチパネル４１及びスピーカー４２を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。スピーカー４２は、種々の音声を出力する。
【００２５】
第１制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、第１制御プログラムを記憶している。
【００２６】
センサーＳは、筐体１０の振動を検出し、検出信号ＳＧを出力する。具体的には、センサーＳは、フレーム１１に配置され、フレーム１１の振動を検出する。センサーＳは、本発明の実施形態では、加速度センサーを含む。センサーＳの検出信号ＳＧは、第１制御部５に伝送される。
【００２７】
以上、図１及び図２を参照して説明したように、本発明の実施形態では、センサーＳが加速度センサーを含むため、簡素な構成で、筐体１０の振動を検出できる。
【００２８】
また、画像形成装置１００は、床面ＦＬ上に載置され、センサーＳがフレーム１１に配置される。また、フレーム１１は筐体１０の下部に配置される。よって、センサーＳは、実質的に床面ＦＬと一体に振動するため、センサーＳが床面ＦＬの振動を検出できる。したがって、センサーＳが地震を検出できる。
【００２９】
次に、図１〜図３を参照して、本発明の実施形態に係る第１制御部５及び第２制御部６の構成について説明する。図３は、第１制御部５及び第２制御部６の構成を示す図である。
【００３０】
図３に示すように、第１制御部５は、検出部５０１、第１送信部５０２、第１受信部５０３及び報知部５０４を備える。具体的には、プロセッサー５１は、第１制御プログラムを実行することによって、検出部５０１、第１送信部５０２、第１受信部５０３及び報知部５０４として機能する。
【００３１】
検出部５０１は、センサーＳから検出信号ＳＧを取得する。
【００３２】
第１送信部５０２は、検出信号ＳＧをサーバー装置２００に送信する。具体的には、第１送信部５０２は、検出信号ＳＧを第２制御部６に送信する。
【００３３】
第１受信部５０３は、サーバー装置２００から地震情報ＥＱ及び推定地震情報ＥＲを受信する。具体的には、第１受信部５０３は、第２制御部６から地震情報ＥＱ及び推定地震情報ＥＲを受信する。
【００３４】
地震情報ＥＱは、複数の画像形成装置１００の各々が配置された位置での地震に関する情報を示す。具体的には、地震情報ＥＱは、地震の震度情報ＱＡＪ及び地震発生日時情報ＴＡＪを含む。震度情報ＱＡＪは、震度ＱＡを示す。地震発生日時情報ＴＡＪは、地震発生日時ＴＡを示す。推定地震情報ＥＲは、第２画像形成装置１００Ｂが配置された位置で発生すると推定される地震に関する情報を示す。推定地震情報ＥＲは、発生が推定される地震の推定震度情報ＱＢＪ及び地震発生日時情報ＴＢＪを含む。推定地震情報ＥＲの詳細については、図５を参照して説明する。
【００３５】
報知部５０４は、地震情報ＥＱ及び推定地震情報ＥＲを報知する。
【００３６】
また、図３に示すように、第２制御部６は、第２受信部６０１、判定部６０２、生成部６０３及び第２送信部６０４を備える。具体的には、プロセッサー６１は、第２制御プログラムを実行することによって、第２受信部６０１、判定部６０２、生成部６０３及び第２送信部６０４として機能する。
【００３７】
第２受信部６０１は、複数の画像形成装置１００から検出信号ＳＧを受信する。具体的には、第２受信部６０１は、複数の画像形成装置１００の各々の第１制御部５から検出信号ＳＧを受信する。
【００３８】
判定部６０２は、検出信号ＳＧに基づいて、センサーＳが地震を検出しているか否かを判定する。複数の画像形成装置１００は、第１画像形成装置１００Ａと第２画像形成装置１００Ｂとを含む。第１画像形成装置１００Ａは、センサーＳが地震を検出していると判定部６０２が判定した画像形成装置を示す。第２画像形成装置１００Ｂは、センサーＳが地震を検出していないと判定部６０２が判定した画像形成装置を示す。
【００３９】
生成部６０３は、センサーＳの検出信号ＳＧに基づいて、地震情報ＥＱ及び推定地震情報ＥＲを生成する。
【００４０】
第２送信部６０４は、地震情報ＥＱ及び推定地震情報ＥＲを第１制御部５に送信する。
【００４１】
以上、図１〜図３を参照して説明したように、本発明の実施形態では、複数の画像形成装置１００の各々のセンサーＳは、筐体１０の振動を検出する。サーバー装置２００の生成部６０３は、複数の画像形成装置１００の各々のセンサーＳから検出信号ＳＧを取得し、検出信号ＳＧに基づいて地震情報ＥＱを生成する。複数の画像形成装置１００の各々の報知部５０４は、サーバー装置２００から地震情報ＥＱを取得し、地震情報ＥＱを報知する。
【００４２】
例えば、画像形成装置１０１のセンサーＳは、筐体１０の振動を検出する。生成部６０３は、画像形成装置１０１のセンサーＳから検出信号ＳＧを取得し、検出信号ＳＧに基づいて地震情報ＥＱを生成する。画像形成装置１０１の報知部５０４は、サーバー装置２００から地震情報ＥＱを取得し、地震情報ＥＱを報知する。よって、ユーザーは速やかに地震情報ＥＱを知得できる。したがって、ユーザーは地震情報ＥＱを有効に利用できる。
【００４３】
また、地震情報ＥＱは、地震の震度情報ＱＡＪ及び地震発生日時情報ＴＡＪを含む。したがって、ユーザーは、速やかに震度情報ＱＡＪ及び地震発生日時情報ＴＡＪを知得できる。
【００４４】
なお、本発明の実施形態では、地震情報ＥＱが、地震の震度情報ＱＡＪ及び地震発生日時情報ＴＡＪを含むが、本発明はこれに限定されない。地震情報ＥＱが、地震の震度情報ＱＡＪ及び地震発生日時情報ＴＡＪの少なくとも一方を含めばよい。例えば、地震情報ＥＱが、地震の震度情報ＱＡＪを含み、地震発生日時情報ＴＡＪを含まなくてもよい。
【００４５】
次に、図２〜図４を参照して、第１制御部５の構成について更に説明する。図４（ａ）は、タッチパネル４１に表示する地震発生画面７００の一例を示す画面図である。地震発生画面７００は、報知部５０４によってタッチパネル４１に表示される。報知部５０４は、地震情報ＥＱに基づいて、地震発生画面７００を生成して、タッチパネル４１に表示する。
【００４６】
図４（ａ）に示すように、地震発生画面７００は、メッセージ表示部７０１、発生日時表示部７０２、震度表示部７０３、印刷ボタン７０４及びキャンセルボタン７０５を含む。
【００４７】
メッセージ表示部７０１には、ユーザーに対するメッセージが表示される。具体的には、メッセージ表示部７０１には、「地震が発生しました。」との文字列が表示されている。
【００４８】
発生日時表示部７０２には、地震発生日時ＴＡが表示される。地震発生日時ＴＡは、地震発生日時情報ＴＡＪが示す地震発生日時である。具体的には、発生日時表示部７０２には、「発生日時：２０１７年５月１０日（水）１０時８分２５秒」との文字列が表示されている。
【００４９】
震度表示部７０３には、震度ＱＡが表示される。震度ＱＡは、震度情報ＱＡＪが示す震度である。具体的には、震度表示部７０３には、「震度：３」との文字列が表示されている。
【００５０】
印刷ボタン７０４は、地震情報ＥＱを示す画像を用紙Ｐに形成する場合に、ユーザーによってタッチされるボタンを示す。印刷ボタン７０４がユーザーによってタッチされた場合には、第１制御部５が画像形成部１４を介して、地震情報ＥＱを示す画像を用紙Ｐに形成する。
【００５１】
キャンセルボタン７０５は、地震発生画面７００を消去する場合に、ユーザーによってタッチされるボタンを示す。キャンセルボタン７０５がユーザーによってタッチされた場合には、報知部５０４が地震発生画面７００を消去し、地震発生画面７００が表示される前に表示されていた画面（例えば、初期画面）を表示する。
【００５２】
図４（ｂ）は、タッチパネル４１に表示する地震推定画面７１０の一例を示す画面図である。地震推定画面７１０は、報知部５０４によってタッチパネル４１に表示される。報知部５０４は、推定地震情報ＥＲに基づいて、地震推定画面７１０を生成して、タッチパネル４１に表示する。地震発生画面７００が地震情報ＥＱに基づいて生成されるのに対して、地震推定画面７１０は、推定地震情報ＥＲに基づいて生成される点で地震発生画面７００と相違している。以下、主に地震発生画面７００と相違する点について説明する。
【００５３】
図４（ｂ）に示すように、地震推定画面７１０は、メッセージ表示部７１１、発生日時表示部７１２、震度表示部７１３、印刷ボタン７１４及びキャンセルボタン７１５を含む。
【００５４】
メッセージ表示部７１１には、ユーザーに対するメッセージが表示される。具体的には、メッセージ表示部７１１には、「地震の発生が推定されました。」との文字列が表示されている。
【００５５】
発生日時表示部７１２には、地震の推定発生日時ＴＢが表示される。推定発生日時ＴＢは、地震発生日時情報ＴＢＪが示す地震の推定発生日時である。具体的には、発生日時表示部７１２には、「推定発生日時：２０１７年５月１０日（水）１０時９分２０秒」との文字列が表示されている。
【００５６】
震度表示部７１３には、推定震度ＱＢが表示される。推定震度ＱＢは、推定震度情報ＱＢＪが示す震度である。具体的には、震度表示部７０３には、「推定震度：２」との文字列が表示されている。
【００５７】
以上、図２〜図４を参照して説明したように、本発明の実施形態では、報知部５０４が、地震情報ＥＱに基づいて地震発生画面７００を生成して、タッチパネル４１に地震発生画面７００を表示する。よって、ユーザーは正確に地震情報ＥＱを知得できる。したがって、ユーザーは地震情報ＥＱを更に有効に利用できる。
【００５８】
また、報知部５０４は、推定地震情報ＥＲに基づいて地震発生画面７００を生成して、タッチパネル４１に地震推定画面７１０を表示する。よって、ユーザーは正確に推定地震情報ＥＲを知得できる。したがって、ユーザーは推定地震情報ＥＲを更に有効に利用できる。
【００５９】
なお、本発明の実施形態では、報知部５０４が、タッチパネル４１に地震発生画面７００を表示するが、本発明はこれに限定されない。報知部５０４が、地震情報ＥＱを示す音声信号を生成して、音声信号に対応する音声をスピーカー４２から出力してもよい。この場合には、ユーザーは更に速やかに地震情報ＥＱを取得できる。したがって、ユーザーは地震情報ＥＱを更に有効に利用できる。
【００６０】
また、本発明の実施形態では、報知部５０４が、タッチパネル４１に地震推定画面７１０を表示するが、本発明はこれに限定されない。報知部５０４が、推定地震情報ＥＲを示す音声信号を生成して、音声信号に対応する音声をスピーカー４２から出力してもよい。この場合には、ユーザーは更に速やかに推定地震情報ＥＲを知得できる。したがって、ユーザーは推定地震情報ＥＲを更に有効に利用できる。
【００６１】
更に、報知部５０４が、地震情報ＥＱを音声で報知する場合には、震度ＱＡに応じて、スピーカー４２から出力する音声の音量を調整することが好ましい。具体的には、震度ＱＡが大きい程、スピーカー４２から出力する音声の音量を大きくすることが好ましい。同様に、報知部５０４が、推定地震情報ＥＲを音声で報知する場合には、推定震度ＱＢに応じて、スピーカー４２から出力する音声の音量を調整することが好ましい。具体的には、推定震度ＱＢが大きい程、スピーカー４２から出力する音声の音量を大きくすることが好ましい。
【００６２】
また、震度ＱＡ又は推定震度ＱＢが所定震度以上である場合には、報知部５０４が、避難指示を示す音声を出力してもよい。所定震度は、例えば、震度が「５」を示す。
【００６３】
次に、図２〜図５を参照して、第２制御部６の構成について更に説明する。図５（ａ）は、複数の画像形成装置１００間の距離ＬＥと震度Ｑとの関係を示す図である。以下の説明においては、第１画像形成装置１００Ａが、画像形成装置１０１と画像形成装置１０２とを含み。第２画像形成装置１００Ｂが画像形成装置１０３を含む場合について説明する。
【００６４】
第１画像形成装置１００Ａは、センサーＳが地震を検出していると判定部６０２が判定した画像形成装置を示す。第２画像形成装置１００Ｂは、センサーＳが地震を検出していないと判定部６０２が判定した画像形成装置を示す。
【００６５】
すなわち、画像形成装置１０１及び画像形成装置１０２の各々は、センサーＳが地震を検出し、画像形成装置１０３は、センサーＳが地震を検出していない。すなわち、画像形成装置１０１が配置された位置と画像形成装置１０２が配置された位置とでは、地震が発生しているが、画像形成装置１０３が配置された位置では地震が発生していない。
【００６６】
図５（ａ）の横軸は、複数の画像形成装置１００間の距離ＬＥを示す。具体的には、横軸は、画像形成装置１０１から他の画像形成装置１００までの距離を示す。すなわち、横軸は、画像形成装置１０１から画像形成装置１０２までの距離ＬＥ１と、画像形成装置１０１から画像形成装置１０３までの距離ＬＥ２を示す。
【００６７】
図５（ａ）の縦軸は、震度Ｑを示す。点Ｐ１１に示すように、生成部６０３は、画像形成装置１０１が配置された位置で震度が「３」の地震が発生したと判定している。また、点Ｐ１２に示すように、生成部６０３は、画像形成装置１０２が配置された位置で震度が「２強」の地震が発生したと判定している。
【００６８】
グラフＧ１は、震度Ｑと距離ＬＥとの関係を示す。生成部６０３は、画像形成装置１０１が配置された位置の震度と、画像形成装置１０２が配置された位置の震度と、距離ＬＥ１及び距離ＬＥ２とに基づき、画像形成装置１０３が配置された位置での震度を推定する。生成部６０３は、点Ｐ１３に示すように、画像形成装置１０３が配置された位置では震度が「２」の地震が発生すると推定する。
【００６９】
図５（ａ）を参照して説明したように、判定部６０２は、複数の画像形成装置１００の各々のセンサーＳが地震を検出しているか否かを判定する。複数の画像形成装置１００が、第１画像形成装置１００Ａと第２画像形成装置１００Ｂとを含む場合に、生成部６０３は、第１画像形成装置１００ＡのセンサーＳの検出信号ＳＧに基づいて、第２画像形成装置１００Ｂの推定地震情報ＥＲを生成する。推定地震情報ＥＲは、第２画像形成装置１００Ｂが配置された位置で発生すると推定される地震に関する情報を示す。
【００７０】
また、生成部６０３は、第１画像形成装置１００Ａが配置された位置での地震の震度ＱＡと、第１画像形成装置１００Ａと第２画像形成装置１００Ｂとの間の距離ＬＥとに基づいて、第２画像形成装置１００Ｂが配置された位置で発生すると推定される地震に関する推定震度情報ＱＢＪを生成する。
【００７１】
図５（ｂ）は、画像形成装置１００間の距離ＬＥと地震発生日時Ｔとの関係を示す図である。横軸は、図５（ａ）と同様に、複数の画像形成装置１００間の距離ＬＥを示す。縦軸は、地震発生日時Ｔを示す。点Ｐ２１に示すように、生成部６０３は、画像形成装置１０１が配置された位置で地震発生日時Ｔ１に地震が発生したと判定している。また、点Ｐ２２に示すように、生成部６０３は、画像形成装置１０２が配置された位置で地震発生日時Ｔ２に地震が発生したと判定している。
【００７２】
グラフＧ２は、地震発生日時Ｔと距離ＬＥとの関係を示す。生成部６０３は、画像形成装置１０１が配置された位置での地震発生日時Ｔ１と、画像形成装置１０２が配置された位置での地震発生日時Ｔ２と、距離ＬＥ１及び距離ＬＥ２とに基づき、画像形成装置１０２が配置された位置での地震発生日時Ｔ３を推定する。生成部６０３は、点Ｐ２３に示すように、画像形成装置１０３が配置された位置では地震発生日時Ｔ３に地震が発生すると推定する。
【００７３】
図５（ｂ）を参照して説明したように、生成部６０３は、第１画像形成装置１００Ａが配置された位置での地震発生日時ＴＡと、第１画像形成装置１００Ａと第２画像形成装置１００Ｂとの間の距離ＬＥとに基づいて、第２画像形成装置１００Ｂが配置された位置で地震が発生すると推定される地震発生日時情報ＴＢＪを生成する。
【００７４】
以上、図２〜図５を参照して説明したように、本発明の実施形態では、判定部６０２は、複数の画像形成装置１００の各々のセンサーＳが地震を検出しているか否かを判定する。複数の画像形成装置１００が、第１画像形成装置１００Ａと第２画像形成装置１００Ｂとを含む場合に、生成部６０３は、第１画像形成装置１００ＡのセンサーＳの検出信号ＳＧに基づいて、第２画像形成装置１００Ｂが配置された位置での推定地震情報ＥＲを生成する。推定地震情報ＥＲは、第２画像形成装置１００Ｂが配置された位置で発生すると推定される地震に関する情報を示す。よって、センサーＳが地震を検出していない場合であっても、推定地震情報ＥＲを取得できる。したがって、ユーザーは、速やかに推定地震情報ＥＲを知得できる。
【００７５】
また、生成部６０３は、第１画像形成装置１００Ａが配置された位置での地震の震度ＱＡと、第１画像形成装置１００Ａと第２画像形成装置１００Ｂとの距離ＬＥとに基づいて、推定震度情報ＱＢＪを生成する。推定震度情報ＱＢＪは、第２画像形成装置１００Ｂが配置された位置で発生すると推定される地震の震度を示す。すなわち、推定震度情報ＱＢＪは、推定震度ＱＢを示す。したがって、推定震度情報ＱＢＪを簡素な構成で生成できる。
【００７６】
更に、生成部６０３は、第１画像形成装置１００Ａが配置された位置での地震発生日時ＴＡと、第１画像形成装置１００Ａと第２画像形成装置１００Ｂとの間の距離ＬＥとに基づいて、地震発生日時情報ＴＢＪを生成する。地震発生日時情報ＴＢＪは、第２画像形成装置１００Ｂが配置された位置で発生すると推定される地震の発生日時を示す。すなわち、地震発生日時情報ＴＢＪは、推定発生日時ＴＢを示す。したがって、地震発生日時情報ＴＢＪを簡素な構成で生成できる。
【００７７】
なお、本発明の実施形態では、第１画像形成装置１００Ａが２台（画像形成装置１０１、画像形成装置１０２）であり、第２画像形成装置１００Ｂが１台（画像形成装置１０３）であるが、本発明はこれに限定されない。複数の画像形成装置１００が、第１画像形成装置１００Ａと第２画像形成装置１００Ｂとを含めばよい。例えば、第１画像形成装置１００Ａが１台であり、第２画像形成装置１００Ｂが５台であってもよい。また、例えば、第１画像形成装置１００Ａが５台であり、第２画像形成装置１００Ｂが２台であってもよい。
【００７８】
次に、図１〜図６を参照して、第１制御部５の処理について説明する。図６は、第１制御部５の処理の一例を示すフローチャートである。
まず、図６に示すように、ステップＳ１０１において、検出部５０１がセンサーＳから検出信号ＳＧを取得する。
次に、ステップＳ１０３において、第１送信部５０２が検出信号ＳＧをサーバー装置２００（第２制御部６）に送信する。
次に、ステップＳ１０５において、第１受信部５０３が、サーバー装置２００（第２制御部６）から地震情報ＥＱを受信したか否かを判定する。
地震情報ＥＱを受信していないと第１受信部５０３が判定した場合（ステップＳ１０５でＮＯ）には、処理がステップＳ１１３に進む。地震情報ＥＱを受信したと第１受信部５０３が判定した場合（ステップＳ１０５でＹＥＳ）には、処理がステップＳ１０７に進む。
そして、ステップＳ１０７において、報知部５０４が、地震情報ＥＱを報知する。
【００７９】
次に、ステップＳ１０９において、第１制御部５は、地震情報ＥＱを印刷するか否かを判定する。
地震情報ＥＱを印刷しないと第１制御部５が判定した場合（ステップＳ１０９でＮＯ）には、処理がステップＳ１０１へリターンする。地震情報ＥＱを印刷すると第１制御部５が判定した場合（ステップＳ１０９でＹＥＳ）には、処理がステップＳ１１１に進む。
そして、ステップＳ１１１において、第１制御部５が、画像形成部１４を介して、地震情報ＥＱを示す画像を用紙Ｐに形成した後、処理がステップＳ１０１へリターンする。
【００８０】
ステップＳ１０５でＮＯの場合には、ステップＳ１１３において、第１受信部５０３が、サーバー装置２００（第２制御部６）から推定地震情報ＥＲを受信したか否かを判定する。
推定地震情報ＥＲを受信していないと第１受信部５０３が判定した場合（ステップＳ１１３でＮＯ）には、処理がステップＳ１０１へリターンする。推定地震情報ＥＲを受信したと第１受信部５０３が判定した場合（ステップＳ１１３でＹＥＳ）には、処理がステップＳ１１５に進む。
そして、ステップＳ１１５において、報知部５０４が、推定地震情報ＥＲを報知する。
【００８１】
次に、ステップＳ１１７において、第１制御部５は、推定地震情報ＥＲを印刷するか否かを判定する。
推定地震情報ＥＲを印刷しないと第１制御部５が判定した場合（ステップＳ１１７でＮＯ）には、処理がステップＳ１０１へリターンする。推定地震情報ＥＲを印刷すると第１制御部５が判定した場合（ステップＳ１１７でＹＥＳ）には、処理がステップＳ１１９に進む。
そして、ステップＳ１１９において、第１制御部５が、画像形成部１４を介して、推定地震情報ＥＲを示す画像を用紙Ｐに形成した後、処理がステップＳ１０１へリターンする。
【００８２】
次に、図１〜図７を参照して、第２制御部６の処理について説明する。図７は、第２制御部６の処理の一例を示すフローチャートである。
まず、図７に示すように、ステップＳ２０１において、第２受信部６０１が、画像形成装置１００（第１制御部５）から検出信号ＳＧを受信する。
次に、ステップＳ２０３において、判定部６０２が、検出信号ＳＧに基づいて、センサーＳが地震を検出しているか否かを判定する。
センサーＳが地震を検出していないと判定した場合（ステップＳ２０３でＮＯ）には、処理がステップＳ２０９に進む。センサーＳが地震を検出したと判定した場合（ステップＳ２０３でＹＥＳ）には、処理がステップＳ２０５に進む。
そして、ステップＳ２０５において、生成部６０３が、センサーＳの検出信号ＳＧに基づいて、地震情報ＥＱを生成し、記憶部６２に記憶する。
次に、ステップＳ２０７において、第２送信部６０４が、地震情報ＥＱを画像形成装置１００（第１制御部５）に送信する。
【００８３】
次に、ステップＳ２０９において、第２制御部６が、センサーＳが地震を検出しているか否かの判定が全ての画像形成装置１００について完了したか否かを判定する。
センサーＳが地震を検出しているか否かの判定が全ての画像形成装置１００については完了していないと第２制御部６が判定した場合（ステップＳ２０９でＮＯ）には、処理がステップＳ２０１に戻る。センサーＳが地震を検出しているか否かの判定が全ての画像形成装置１００について完了したと第２制御部６が判定した場合（ステップＳ２０９でＹＥＳ）には、処理がステップＳ２１１に進む。
そして、ステップＳ２１１において、判定部６０２が、少なくとも１台の画像形成装置１００のセンサーＳが地震を検出したか否かを判定する。
少なくとも１台の画像形成装置１００のセンサーＳが地震を検出していないと判定部６０２が判定した場合（ステップＳ２１１でＮＯ）には、処理がステップＳ２０１にリターンする。少なくとも１台の画像形成装置１００のセンサーＳが地震を検出したと判定部６０２が判定した場合（ステップＳ２１１でＹＥＳ）には、処理がステップＳ２１３に進む。
そして、ステップＳ２１３において、生成部６０３が「地震推定処理」を実行し、処理がステップＳ２０１にリターンする。「地震推定処理」は、推定地震情報ＥＲを生成する処理を示す。
【００８４】
次に、図１〜図８を参照して、第２制御部６が実行する「地震推定処理」について説明する。図８は、第２制御部６の「地震推定処理」の一例を示すフローチャートである。
図８に示すように、まず、ステップＳ３０１において、生成部６０３が、第１画像形成装置１００Ａの第１位置情報ＰＡ及び地震情報ＥＱを記憶部６２から読み出す。第１位置情報ＰＡは、第１画像形成装置１００Ａが配置されている位置を示す。第１位置情報ＰＡは、予め記憶部６２に記憶されている。
次に、ステップＳ３０３において、生成部６０３が、１台の第２画像形成装置１００Ｂの第２位置情報ＰＢを記憶部６２から読み出す。第２位置情報ＰＢは、第２画像形成装置１００Ｂが配置されている位置を示す。第２位置情報ＰＢは、予め記憶部６２に記憶されている。
【００８５】
次に、ステップＳ３０５において、生成部６０３が、推定地震情報ＥＲを生成する。具体的には、生成部６０３は、第１画像形成装置１００Ａが配置された位置での地震の震度Ｑと、第１画像形成装置１００Ａと第２画像形成装置１００Ｂとの間の距離ＬＥとに基づいて、第２画像形成装置１００Ｂが配置された位置で発生すると推定される地震に関する推定震度情報ＱＢＪを生成する。
【００８６】
また、生成部６０３は、第１画像形成装置１００Ａが配置された位置での地震発生日時ＴＡと、第１画像形成装置１００Ａと第２画像形成装置１００Ｂとの間の距離ＬＥとに基づいて、第２画像形成装置１００Ｂが配置された位置で発生すると推定される地震発生日時情報ＴＢＪを生成する。
【００８７】
推定地震情報ＥＲは、第２画像形成装置１００Ｂが配置された位置で発生すると推定される地震に関する情報を示す。推定地震情報ＥＲは、推定震度情報ＱＢＪ及び地震発生日時情報ＴＢＪを含む。
【００８８】
次に、ステップＳ３０７において、第２送信部６０４が、推定地震情報ＥＲを第２画像形成装置１００Ｂ（第１制御部５）に送信する。
次に、ステップＳ３０９において、第２制御部６が、全ての第２画像形成装置１００Ｂへの推定地震情報ＥＲの送信が完了したか否かを判定する。
全ての第２画像形成装置１００Ｂへの推定地震情報ＥＲの送信が完了してはいないと第２制御部６が判定した場合（ステップＳ３０９でＮＯ）には、処理がステップＳ３０３に戻る。全ての第２画像形成装置１００Ｂへの推定地震情報ＥＲの送信が完了したと第２制御部６が判定した場合（ステップＳ３０９でＹＥＳ）には、処理が図７のステップＳ２０１にリターンする。
【００８９】
以上、図１〜図８を参照して説明したように、本発明の実施形態では、生成部６０３は、センサーＳの検出信号ＳＧに基づいて、地震情報ＥＱ及び推定地震情報ＥＲを生成する。また、第１受信部５０３が、サーバー装置２００（第２制御部６）から地震情報ＥＱ及び推定地震情報ＥＲを受信し、報知部５０４が、地震情報ＥＱ及び推定地震情報ＥＲを報知する。したがって、ユーザーは、速やかに地震情報ＥＱ及び推定地震情報ＥＲを知得できる。
【００９０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９１】
（１）図２を参照して説明したように、本発明の実施形態では、センサーＳが加速度センサーであるが、本発明はこれに限定されない。「センサー」は、筐体１０の振動を検出すればよい。「センサー」は、例えば、変位センサーでもよいし、振動速度センサーでもよい。
【００９２】
（２）図２〜図４を参照して説明したように、本発明の実施形態では、報知部５０４は、タッチパネル４１及びスピーカー４２を介して地震情報ＥＱを報知するが、本発明はこれに限定されない。報知部５０４が、タッチパネル４１及びスピーカー４２の少なくとも一方を介して地震情報ＥＱを報知すればよい。例えば、報知部５０４は、震度ＱＡが所定震度未満の場合にはタッチパネル４１を介して地震情報ＥＱを報知し、震度ＱＡが所定震度以上の場合にはスピーカー４２を介して地震情報ＥＱを報知してもよい。所定震度は、例えば震度が「５」を示す。
【００９３】
（３）図２〜図４を参照して説明したように、本発明の実施形態では、報知部５０４は、タッチパネル４１及びスピーカー４２を介して推定地震情報ＥＲを報知するが、本発明はこれに限定されない。報知部５０４が、タッチパネル４１及びスピーカー４２の少なくとも一方を介して推定地震情報ＥＲを報知すればよい。例えば、報知部５０４は、推定震度ＱＢが所定震度未満の場合にはタッチパネル４１を介して推定地震情報ＥＲを報知し、推定震度ＱＢが所定震度以上の場合にはスピーカー４２を介して推定地震情報ＥＲを報知してもよい。所定震度は、例えば震度が「５」を示す。
【産業上の利用可能性】
【００９４】
本発明は、画像形成システム、及び画像形成装置の分野に利用可能である。
【符号の説明】
【００９５】
ＳＴ    画像形成システム
１００    画像形成装置
１    画像形成ユニット
１４    画像形成部
２    画像読取ユニット
３    原稿搬送ユニット
４    操作パネル
４１    タッチパネル
４２    スピーカー
５    第１制御部
５１    プロセッサー
５２    記憶部
５０１    検出部
５０２    第１送信部
５０３    第１受信部
５０４    報知部
Ｓ    センサー
２００    サーバー装置
６    第２制御部
６１    プロセッサー
６２    記憶部
６０１    第２受信部
６０２    判定部
６０３    生成部
６０４    第２送信部
３００    ネットワーク
ＳＧ    検出信号
ＥＱ    地震情報
ＥＲ    推定地震情報
Ｌ    距離
Ｑ、ＱＡ    震度
ＱＡＪ    震度情報
ＱＢＪ    推定震度情報
ＱＢ    推定震度
Ｔ、ＴＡ    地震発生日時
ＴＡＪ、ＴＢＪ    地震発生日時情報
ＴＢ    推定発生日時
【図１】
2018196935.tif 000003
【図２】
2018196935.tif 000004
【図３】
2018196935.tif 000005
【図４】
2018196935.tif 000006
【図５】
2018196935.tif 000007
【図６】
2018196935.tif 000008
【図７】
2018196935.tif 000009
【図８】
2018196935.tif 000010